(57)【要約】      （修正有）【課題】良好なディスプレイ機能を有し、安定して商品を保持し高い緩衝効果を有する緩衝機能付き包装体を提供する。【解決手段】一枚のブランクシートから一体的に打ち抜かれた包装体形成片１４から成り、包装体形成片１４は、内部に収容した商品を展示する際の正面に位置する正面板１６と、正面板１６の両側に連接して設けられた第１背面板１８と第２背面板１９とを備える。正面板１６の上端と下端には各々折り曲げ片３０，４０を有する。正面板１６は、外部から商品を視認可能にする開口部２０を有し、開口部２０は、伸縮可能な透明な緩衝保持フィルムにより覆われている。折り曲げ片４０を正面板１６の裏面側に折り曲げるとともに、各背面板１８，１９を正面板１６の裏面側に折り曲げることにより、正面板１６と各背面板１８，１９との間に、商品を収容可能な空間を形成する。【選択図】図２
2015009871.tif 000002
【特許請求の範囲】
【請求項１】
一枚のブランクシートから一体的に打ち抜かれた包装体形成片から成り、この包装体形成片は、内部に収容した商品を展示する際の正面に位置する正面板と、この正面板の両側に連接して設けられた第１背面板と第２背面板とを備え、
前記第１背面板と第２背面板の間に位置した正面板の上端と下端には各々折り曲げ片が延設され、
前記正面板には外部から前記商品を視認可能にする開口部が形成され、前記開口部は伸縮可能な緩衝保持フィルムにより覆われ、
前記折り曲げ片を前記正面板の裏面側に折り曲げるとともに、前記各背面板を前記正面板の裏面側に折り曲げることにより、前記正面板と前記各背面板との間に前記商品を収容可能な空間が形成され、
前記商品が内部に収容された状態で、前記商品が前記開口部の内側に位置して、折り曲げられた前記包装体形成片の各部と前記緩衝保持フィルムとにより弾性的に保持されることを特徴とする緩衝機能付き包装体。
【請求項２】
前記正面板の下方には、下方に位置した前記折り曲げ片の折り曲げにより、前記商品を収容した状態で前記正面板の下方部分を屈曲させる一対の折罫線が形成され、前記一対の折罫線の両側に位置する前記正面板の一対の下端縁が互いにハ字状に下方に突出状態で位置する請求項１記載の緩衝機能付き包装体。
【請求項３】
一方の前記背面板の下端縁中央部には突縁部が形成され、前記商品を収容した状態で前記正面板の前記下端縁と前記背面板の突縁部とで自立可能に設けられた請求項２記載の緩衝機能付き包装体。
【請求項４】
一方の前記背面板の上端縁中央部に吊り下げ片が設けられ、前記正面板の上端縁部の折り曲げ片の基端部には、前記吊り下げ片が挿入される差込孔が形成されている請求項１記載の緩衝機能付き包装体。
【請求項５】
前記伸縮性フィルムは伸縮性を有したポリプロピレン、ポリエチレン、またはポリウレタンのうちのいずれかで形成されている請求項１記載の緩衝機能付き包装体。
【発明の詳細な説明】
【技術分野】
【０００１】
この発明は、収容した瓶等の商品を、緩衝機能を有して保持する緩衝機能付き包装体に関する。
【背景技術】
【０００２】
従来、壊れやすい商品を包装するために伸縮性フィルムで商品を保持して包装箱等に接触しないように収容した包装箱がある。例えば、特許文献１に開示されている挟み型包装容器は、２つの窓枠状の保持枠が設けられ、この保持枠には伸縮性を有する弾性部材を張り渡し、これらを対向配置して構成している。枠部材は、段ボールや発泡スチロール等により形成され、厚みを有して構成されている。この挟み型包装容器の使用方法は、２つの保持部材の間に商品を入れて挟み、弾性部材が商品の形状に沿って伸長して緩衝保持されるものである。
【０００３】
また、特許文献２に開示されている包装容器は、段ボール板紙から繋がって切り出され各中央部に陥凹部を有する一対の包装容器本体が設けられ、この包装容器本体を薄いプラスチックフィルム製の透明シートによってシュリンクパックし、陥凹部の開放面を透明シートによって閉鎖している。包装容器本体は、段ボール板紙で立体的に成形して設けられているもので、使用方法は、商品を一方の包装容器本体の開放面の透明シート上に置き、他方の包装容器本体を重ね、外周の係止片を同一方向に折曲して連結し、物品を上下の透明シート間に保持して緩衝するものである。
【先行技術文献】
【特許文献】
【０００４】
【特許文献１】特開２０００−３０９３７７号公報
【特許文献２】特開２００１−１６３３６２号公報
【発明の概要】
【発明が解決しようとする課題】
【０００５】
上記背景技術の特許文献１，２に開示された包装容器の場合、枠部材と包装容器本体は、単に商品を保護するように保持したものであり、商品を展示する場合には使用できないものである。しかも、段ボールや発泡スチロールで立体的に設けられているため、包装状態では嵩張るものでありコストがかかり、製造工数もかかるものであった。さらに、特許文献２の包装容器は、包装容器本体全体をシュリンクパックして透明シートを取り付けるものであり、広い面積の透明シートが必要であり、しかもシュリンクパックをする装置も必要であり、この点でもコストと工数がかかるものであった。
【０００６】
この発明は、上記背景技術の問題点に鑑みてなされたものであり、良好なディスプレイ機能を有し、安定して商品を保持し高い緩衝効果を有する緩衝機能付き包装体を提供することを目的とする。
【課題を解決するための手段】
【０００７】
この発明は、一枚のブランクシートから一体的に打ち抜かれた包装体形成片から成り、この包装体形成片は、内部に収容した商品を展示する際の正面に位置する正面板と、この正面板の両側に連接して設けられた第１背面板と第２背面板とを備え、前記第１背面板と第２背面板の間に位置した正面板の上端と下端には各々折り曲げ片が延設され、前記正面板には外部から前記商品を視認可能にする開口部が形成され、前記開口部は伸縮可能な透明な緩衝保持フィルムにより覆われ、前記折り曲げ片を前記正面板の裏面側に折り曲げるとともに、前記各背面板を前記正面板の裏面側に折り曲げることにより、前記正面板と前記各背面板との間に前記商品を収容可能な空間が形成され、前記商品が内部に収容された状態で、前記商品が前記開口部の内側に位置して、折り曲げられた前記包装体形成片の各部と前記緩衝保持フィルムとにより弾性的に保持される緩衝機能付き包装体である。
【０００８】
前記正面板の下方には、下方に位置した前記折り曲げ片の折り曲げにより、前記商品を収容した状態で前記正面板の下方部分を屈曲させる一対の折罫線が形成され、前記一対の折罫線の両側に位置する前記正面板の一対の下端縁が互いにハ字状に下方に突出状態で位置するものである。
【０００９】
一方の前記背面板の下端縁中央部には突縁部が形成され、前記商品を収容した状態で前記正面板の前記下端縁と前記背面板の突縁部とで自立可能に設けられたものである。
【００１０】
一方の前記背面板の上端縁中央部に吊り下げ片が設けられ、前記正面板の上端の折り曲げ片の基端部には、前記吊り下げ片が挿入される差込孔が形成されているものである。
【００１１】
前記伸縮性フィルムは、伸縮性を有し、好ましくは透明な樹脂フィルムであって、ポリプロピレン、ポリエチレン、またはポリウレタンのうちのいずれかで形成されている。
【発明の効果】
【００１２】
この発明の緩衝機能付き包装体は、簡単な構造で商品を安定に常に同じ向きで保持し、良好なディスプレイ機能を有するとともに、高い緩衝効果を有して商品を保護するものである。さらに、安全に搬送、保管等を行うこともできる。特に、自立機能や吊り下げ機能を備えていることにより、さらに、良好なディスプレイ効果を有する包装体を形成することができる。また、伸縮性フィルムを使用して、伸縮性フィルムの弾性力と密着性により、簡単で確実に且つ安定に商品を保持して保護することができる。しかも、この緩衝機能付き包装体は、成形ハットやブリスターパック包装のような専用の包装機械が不要であり、包装が容易に可能である。
【図面の簡単な説明】
【００１３】
【図１】この発明の第一実施形態の緩衝機能付き包装体の斜視図である。
【図２】この発明の第一実施形態の緩衝機能付き包装体の展開図である。
【図３】この発明の第一実施形態の緩衝機能付き包装体の組み立て状態を示す正面側から見た斜視図（ａ）、背面側から見た斜視図（ｂ）である。
【図４】この発明の第一実施形態の緩衝機能付き包装体の縦断面図である。
【図５】この発明の第二実施形態の緩衝機能付き包装体の展開図である。の縦断面図である。
【発明を実施するための形態】
【００１４】
以下、この発明の実施形態について図面に基づいて説明する。図１〜図４は、この発明の第一実施形態を示すもので、この実施形態の緩衝機能付き包装体１０は、化粧品や薬品の容器等、緩衝機能を有して保持する必要のある商品１２を収容するもので、商品１２を収容した状態で、搬送及び展示、保管等が可能な包装体１０である。
【００１５】
包装体１０は、図２に示すように、紙製等の一枚のブランクシートを打ち抜いて形成された包装体形成片１４を折り曲げて形成されている。図２は、包装体形成片１４を表面から見た展開図であり、包装体形成片１４は、正面板１６と第１背面板１８と第２背面板１９が一方向に連接して設けられている。
【００１６】
正面板１６には、商品１２に合わせて商品１２よりやや大きい開口部２０が形成され、この開口部２０は、ポリプロピレン、ポリエチレン、またはポリウレタンのフィルム等の透明で伸縮性のある合成樹脂フィルムである緩衝保持フィルム２２で閉鎖されている。緩衝保持フィルム２２は、開口部２０を覆うものであれば、正面板１６内に貼り付けられたものや包装体形成片１４全体の表面又は裏面に貼り付けられたものでも良く、その大きさや貼り付け面は問わない。
【００１７】
正面板１６の、図面上方に位置した上端には、折り曲げ片３０が折罫線３２を介して設けられている。折り曲げ片３０は、正面板１６側とは反対側の先端縁部の角部がアールをつけて形成され、第２背面板１９寄りの角部が緩やかに傾斜した形状に形成されている。折り曲げ片３０の中央部には、折罫線３２と平行に折罫線３４が形成され、先端縁の第１背面板１８側には、長半円状の差込片３６が折罫線３７を介して延設されている。差込片３６の基端部の折罫線３７の両端部には、僅かな切り欠きが形成されている。また、折罫線３２の中央部には、円弧状の差込孔３８が形成され、差込孔３８の端部両側には、折罫線３２と平行で僅かに先端部寄りに切り込み３９が形成され、切り込み３９の両端部が僅かに正面板１６側に湾曲している。正面板１６の、図面下方に位置した下端側には、開口部２０の下方の１辺の両端付近から互いに広がるように僅かに湾曲した一対の折罫線２４が下端縁まで延びて形成されている。
【００１８】
正面板１６の、図面下方に位置した下端には、折り曲げ片４０が折罫線４２を介して設けられている。折り曲げ片４０は、正面板１６の下端縁の幅よりも狭い幅に形成され、折り曲げ片４０の正面板１６側の基端部から折罫線４２に向かって一対のスリット４６が形成されている。スリット４６は、折り曲げ片４０の基端部からさらに折罫線４２寄りに屈曲し、各スリット４６の互いに対向する先端部が各折罫線２４の下端部に各々位置している。折り曲げ片４０の中央部より僅かに折罫線４２寄りの位置には、折罫線４２と平行に折罫線４４が形成されている。折罫線４２，４４には、折り曲げを容易にする切り込みが、適宜の間隔で形成されている。
【００１９】
第１背面板１８は、正面板１６と折罫線２３を介して連接し、折罫線２３と一致する辺が正面板１６と等しい長さで連接され、連接方向と平行な両端部の辺が正面板１６の約１／２の長さに形成された長方形状に設けられている。第１背面板１８の上端縁部の折罫線２３とは反対側の角部には、組み立て状態で折り曲げ片３０の差込孔３８に対応した円弧状の切り欠き部２７が形成され、切り欠き部２７から僅かに離間して、差込片３６が挿入される差込孔２８が形成されている。差込孔２８は、半円状の開口に形成され、半円の直径部分の両側に切り込み２９が延びており、切り込み２９の両端部は僅かに図面下方に湾曲している。
【００２０】
第２背面板１９は、正面板１６と折罫線２５を介して連接し、折罫線２５と一致する辺が正面板１６と等しい長さで連接され、連接方向と平行な両端部の辺も正面板１６とほぼ等しい長さに形成されている。第２背面板１９の上方に位置した一方の端部には、組み立て状態で折り曲げ片３０の差込孔３８に差し込まれて使用される吊り下げ片５０が延設されている。吊り下げ片５０には吊り下げ孔５０ａが形成され、折罫線５１を介して第２背面板１９から延設されている。第２背面板１９内の上方であって折罫線２５とは反対側の端縁部寄りの位置に、吊り下げ片５０側に開いたコ字状の切り込み５２が形成されている。さらに、第２背面板１９内の下方であって折罫線２５とは反対側の端縁部寄りの位置には、吊り下げ片５０側に開いたコ字状の切り込み５４が形成されている。切り込み５４の両端部は、互いに近づく向きに湾曲して円弧状に形成され、切り込み５４端部での応力集中を阻止している。切り込み５４の内側は、後述する糊５６が塗布される糊付け片５４ａとなる。
【００２１】
次に、この実施形態の緩衝機能付き包装体１０の組立方法について説明する。図２に示す展開図は、この包装体形成片１４の表面を見たものであり、包装体形成片１４の表面が凸になる折り方を正折り、裏面が凸になる折り方を逆折りと称する。包装体形成片１４は、打ち抜きにより形成し、緩衝保持フィルム２２を開口部２０を覆うように貼り付ける。なお緩衝保持フィルム２２は、包装体形成片１４の打ち抜き前に貼り付けられていても良い。
【００２２】
まず、折り曲げ片４０を折罫線４２で正折りし、第２背面板１９内のコ字状の切り込み５４内の糊付け片５４ａの裏面側に糊５６を塗布する。そして、折罫線２５を正折りして、糊５６を塗布した第２背面板１９の糊付け片５４ａの裏面側と折り曲げ片４０の表面とを接着する。この後、第２背面板１９の中央部より切り込み５２，５４側の表面に、上下方向に糊５８を塗布する。この後、第１背面板１８を正折りして、第１背面板１８の裏面を第２背面板１９の表面に接着する。この状態で、この緩衝機能付き包装体１０に商品１２を入れる包装工場等へ出荷する。
【００２３】
次に、化粧品等の商品１２を収容し包装する工場等において、第１背面板１８と第２背面板１９を互いに離反するように側面を湾曲させるように変形し、折り曲げ片３０側を開口させる。この開口から商品１２を挿入すると、商品１２の下端部１２ａの周縁部が折り曲げ片４０に接触して支持されるとともに、商品１２の側面が緩衝保持フィルム２２と第２背面板１９の裏面に接触する。この状態で、商品１２は、緩衝機能付き包装体１０の第１背面板１８と第２背面板１９の湾曲が元に戻ろうとする弾性力及び、緩衝保持フィルム２２の張力により、弾性的に保持される。正面板１６の開口部２０は、商品１２より僅かに大きく、開口部２０を覆った緩衝保持フィルム２２は、商品１２の一方の側面全長に亘り弾性的に支持するとともに摩擦力でその位置を保持する。
【００２４】
商品１２を収容後、吊り下げ片５０を折り曲げ片３０の差込孔３８に挿入し、折り曲げ片３０を折罫線３２で正折りし、差込片３６を第１背面板１８の差込孔２８に挿入する。これにより、差込片３６の基端部の切り欠きが差込孔２８の側方の切り込み２９に係合して、差込片３６が確実に係止される。
【００２５】
この状態で、図１、図３、図４に示すように、正面板１６と第１背面板１８、第２背面板１９の底部が湾曲状態となり、自立可能となる。さらに、表面板１６の下方の湾曲した一対の折罫線２４により、正面板１６の下端縁１６ａがハの字状に位置し、第２背面板１９の底辺１９ａには、中央部で僅かに下方に突出した突縁部１９ｂが形成され、一対の下端縁１６ａと突縁部１９ｂとにより安定に自立する。特に、下方の折り曲げ片４０は、正面板１６の裏面側に折り曲げられた状態で、折罫線４２の位置は、下端縁１６ａよりも上方に位置し、両側の下端縁１６ａが突出した状態になり、突縁部１９ｂとで３点支持状態となり、安定に自立可能になる。
【００２６】
この実施形態の緩衝機能付き包装体１０によれば、簡単な構造で包装体形成片１４を構成して、商品１２を弾性的に保持し、確実な緩衝機能を持たせることができる。しかも、開口部２０を覆った緩衝保持フィルム２２により商品１２を保持しているので、商品１２は、より確実に緩衝的に保持される。また、矩形の箱体形状ではない、扁平な筒状形態の包装体であるとともに自立可能な形状であり、開口部２０により商品を視認できることにより、良好なディスプレイ効果を有するものである。
【００２７】
次にこの発明の第二実施形態について図５に基づいて説明する。なお、ここで、上記実施形態と同様の部材は同様の符号を付して説明を省略する。
【００２８】
この実施形態の緩衝機能付き包装体の包装体形成片６０は、図５に示すように、第１背面板１８の形状が第２背面板１９と等しく、正面板１６とほぼ同様の大きさに形成されているものである。第１背面板１８の上端部中央には、吊り下げ片５０が延出し、吊り下げ片５０の下方に、差込孔２８が形成されている。正面板１６に延設された折り曲げ片３０には、その端縁中央部に差込片３６が形成され、差込孔２８に挿入可能に形成されている。
【００２９】
この実施形態の包装体形成片６０の組み立ても上記実施形態と同様の順序で組み立てられるもので、折り曲げ片４０を折罫線４２で正折りした後、第２背面板１９の下方中央部に切り込み５４内の糊付け片５４ａの裏面に糊５６が塗布されて、第２背面板１９と折り曲げ片４０が接着される。さらに、第２背面板１９の表面の両側方に糊５８が塗布され、上記実施形態と同様に第１背面板１８が折罫線２３で折り曲げられて接着される。この後、商品１２が収容されて、上記実施形態と同様に商品１２を収容、保持して、折り曲げ片３０が折罫線３２で折り返されて差込片３６が差込孔２８に挿入され、開口部が閉じられて、搬送、保管、及び展示等が行われる。
【００３０】
この実施形態の包装体形成片６０によっても、上記実施形態と同様の効果を得ることができ、さらに、背面板１８，１９が２重になるので、より高い緩衝機能を持たせることも可能である。
【００３１】
なお、この発明の緩衝機能付き包装体は、上記実施形態に限定されるものではなく、包装される商品の形状は、縦長のもの以外に、短柱状のものや矩形のもの、球形のもの等、任意の形状の商品を保持して包装することができる。また、正面板の開口部の形状も任意のデザインを施したものでも良く、伸縮性の緩衝保持フィルムで覆ったものであればよい。
【符号の説明】
【００３２】
１０  緩衝機能付き包装体
１２  商品
１２ａ  下端部
１４，６０  包装体形成片
１６  正面板
１６ａ  下端縁
１８  第１背面板
１９  第２背面板
１９ｂ  突縁部
２０  開口部
２２  緩衝保持フィルム
２３，２４，２５，３２，３４，３７，４２，４４  折罫線
２８，３８  差込孔
３０，４０  折り曲げ片
３６  差込片
５０  吊り下げ片
５６，５８  糊
【図１】
2015009871.tif 000003
【図２】
2015009871.tif 000004
【図３】
2015009871.tif 000005
【図４】
2015009871.tif 000006
【図５】
2015009871.tif 000007